(57)【要約】【課題】過大な電圧が保護素子に印加された原因を解析するための情報を得ることができる保護回路および画像形成装置を提供する。【解決手段】本発明に係る保護回路１０は、対象回路を保護する。保護回路は、保護素子Ｚ１と、信号生成素子ＦＣ１と、異常電圧検出部２０とを備える。保護素子Ｚ１は、印加電圧に応じて、流れる電流値が変化する。信号生成素子ＦＣ１は、保護素子Ｚ１を流れる電流値の変化に応じて異常電圧発生信号を生成する。異常電圧検出部２０は、異常電圧発生信号を検出する。【選択図】図１
2015142411.tif 000002
【特許請求の範囲】
【請求項１】
対象回路を保護する保護回路であって、
印加電圧に応じて、流れる電流値が変化する保護素子と、
前記保護素子を流れる前記電流値の変化に応じて異常電圧発生信号を生成する信号生成素子と、
前記異常電圧発生信号を検出する異常電圧検出部と
を備える、保護回路。
【請求項２】
前記異常電圧検出部は記憶部を有し、
前記記憶部は、前記異常電圧発生信号の検出タイミングを記憶する、請求項１に記載の保護回路。
【請求項３】
ネットワークを介して通信可能な通信部をさらに備え、
前記通信部は前記検出タイミングを送信する、請求項２に記載の保護回路。
【請求項４】
第１端子と、
第２端子と、
前記保護素子の温度を検出する温度検出部と、
前記印加電圧が前記保護回路に印加されることを遮断可能な遮断器と、
前記第１端子と前記第２端子との間に接続され、前記第１端子と前記第２端子との導通を切り換えるスイッチング素子と
をさらに備え、
前記温度が所定の基準値を超えたとき、前記スイッチング素子は前記第１端子と前記第２端子とを導通させ、前記遮断器は前記保護回路に前記印加電圧が印加されることを遮断する、請求項１から請求項３のいずれか１項に記載の保護回路。
【請求項５】
前記保護素子はバリスタを含む、請求項１から請求項４のいずれか１項に記載の保護回路。
【請求項６】
前記信号生成素子はフォトカプラーを含む、請求項１から請求項５のいずれか１項に記載の保護回路。
【請求項７】
請求項１から請求項６のいずれか１項に記載の保護回路を有する電源回路と、
画像を形成する画像形成部と
を備える、画像形成装置。
【発明の詳細な説明】
【技術分野】
【０００１】
本発明は、保護回路および画像形成装置に関する。
【背景技術】
【０００２】
従来から、一次ヒューズとバリスタとを接続した電源回路が知られている。一次ヒューズは、交流電源に接続された電源ライン上に、過大な電流が流れたときに溶断する。バリスタは、バリスタの動作電圧（以下、バリスタ電圧と記載する。）以上の電圧がバリスタに印加された場合に、電源ライン間を短絡する。バリスタが電源ライン間を短絡することによって、電源ラインに過大な電流を流して一次ヒューズを溶断させ、負荷への給電を遮断する。
【０００３】
例えば、特許文献１に記載の電源回路は、一次ヒューズの代わりにサーキットプロテクタ（リセット機能付きブレーカー）を用いることによって、効率よく給電を再開することができる。
【先行技術文献】
【特許文献】
【０００４】
【特許文献１】特開２０１３−９９０３１号公報
【発明の概要】
【発明が解決しようとする課題】
【０００５】
また、バリスタ電圧以上の電圧がバリスタに印加された場合に、原因を解析することが求められている。
【０００６】
本発明は上記課題に鑑みてなされたものであり、その目的は過大な電圧が保護素子に印加された原因を解析するための情報を得ることができる保護回路および画像形成装置を提供することにある。
【課題を解決するための手段】
【０００７】
本発明に係る保護回路は、対象回路を保護する。前記保護回路は、保護素子と、信号生成素子と、異常電圧検出部とを備える。前記保護素子は、印加電圧に応じて、流れる電流値が変化する。前記信号生成素子は、前記保護素子を流れる前記電流値の変化に応じて異常電圧発生信号を生成する。前記異常電圧検出部は、前記異常電圧発生信号を検出する。
【０００８】
本発明に係る画像形成装置は、電源回路と、画像形成部とを備える。前記電源回路は、上記に記載の保護回路を有する。前記画像形成部は、画像を形成する。
【発明の効果】
【０００９】
本発明に係る保護回路は、保護素子と信号生成素子と異常電圧検出部とを備える。信号生成素子は保護素子を流れる電流値の変化に応じて異常電圧発生信号を生成する。異常電圧検出部は異常電圧発生信号を検出する。したがって、過大な電圧が保護素子に印加されたことを知ることができる。その結果、過大な電圧が保護素子に印加された原因を解析するための情報を得ることができる。
【図面の簡単な説明】
【００１０】
【図１】本発明の実施形態１に係る保護回路を示す模式図である。
【図２】（ａ）は、時刻と保護素子に印加される電圧との関係を示す図である。（ｂ）は、時刻と信号生成素子から出力される信号の電圧と関係を示す図である。
【図３】（ａ）は、時刻と印加電圧を示す図である。（ｂ）は、時刻と出力信号電圧を示す図である。
【図４】本発明の実施形態２に係る保護回路を示す模式図である。
【図５】本発明の実施形態３に係る保護回路を示す模式図である。
【図６】画像形成装置を示すブロック図である。
【図７】画像形成装置の断面を示す図である。
【発明を実施するための形態】
【００１１】
以下、図面を参照して本発明に係る保護回路および画像形成装置の実施形態を説明する。ただし、本発明は以下の実施形態に限定されない。
【００１２】
［実施形態１］
図１を参照して本発明の実施形態１に係る保護回路１０を説明する。図１は、本発明の実施形態１に係る保護回路１０を示す模式図である。
【００１３】
保護回路１０は、保護素子Ｚ１と、信号生成素子ＦＣ１と、異常電圧検出部２０とを備える。保護回路１０の前段には、外部の交流電源ＡＣが接続される。保護回路１０は、後段に接続される対象回路（図示せず、以下、保護対象回路と記載する。）を保護する。
【００１４】
保護素子Ｚ１において、印加電圧に応じて流れる電流値が変化する。保護素子Ｚ１は、例えば、バリスタである。保護素子Ｚ１は、交流電源ＡＣから供給される電圧が過大になることによって、保護素子Ｚ１に保護素子Ｚ１のバリスタ電圧以上の電圧が印加されると、抵抗値を急激に低下する。したがって、交流電源ＡＣが短絡し保護対象回路に過大な電流が流れない。その結果、保護対象回路は保護される。バリスタ電圧は、例えば、２７０Ｖ、３９０Ｖ、４３０Ｖまたは４７０Ｖである。バリスタ電圧としては、一般的に４７０Ｖが用いられる。
【００１５】
信号生成素子ＦＣ１は、保護素子Ｚ１と交流電源ＡＣとの間に接続される。信号生成素子ＦＣ１は、例えば、フォトカプラーである。信号生成素子ＦＣ１は、保護素子Ｚ１を流れる電流値の変化に応じて異常電圧発生信号を生成する。即ち、保護素子Ｚ１にバリスタ電圧以上の電圧が印加され保護素子Ｚ１に電流が流れている期間、信号生成素子ＦＣ１は異常電圧発生信号を生成する。異常電圧発生信号は、例えば、所定の期間を有するＨｉｇｈレベルのパルスである。
【００１６】
異常電圧検出部２０は、異常電圧発生信号を検出する。即ち、異常電圧検出部２０は、信号生成素子ＦＣ１から出力される信号がＨｉｇｈレベルになったことを検出する。
【００１７】
図１および図２を参照して、本発明の実施形態１に係る保護回路１０の動作を説明する。図２（ａ）は、時刻と保護素子Ｚ１に印加される電圧Ｖｚ１との関係を示す図である。図２（ｂ）は、時刻と信号生成素子ＦＣ１から出力される信号の電圧Ｖｆｃ１との関係を示す図である。
【００１８】
異常電圧発生が連続的に発生する場合には、保護回路１０は以下に説明するように動作する。例えば、交流電源ＡＣの電圧変動に起因して印加電圧がバリスタ電圧を超える場合、印加電圧が図２（ａ）に示すように、比較的長い期間印加電圧がバリスタ電圧を超える傾向を示す。
【００１９】
時刻０から時刻ｔ１までの期間においては、図２（ａ）に示すように、保護素子Ｚ１に印加される電圧Ｖｚ１（以下、印加電圧Ｖｚ１と記載する）は、電圧Ｖ１を示している。したがって、印加電圧Ｖｚ１はバリスタ電圧Ｖｚよりも低いため、保護素子Ｚ１には電流が流れない。その結果、図２（ｂ）に示すように信号生成素子ＦＣ１から出力される信号の電圧（以下、出力信号電圧Ｖｆｃ１と記載する）は０Ｖ（Ｌｏｗレベル）となる。
【００２０】
時刻ｔ１から時刻ｔ２までの期間においては、図２（ａ）に示すように、印加電圧Ｖｚ１は、電圧Ｖ２を示している。したがって、印加電圧Ｖｚ１はバリスタ電圧Ｖｚよりも高いため、保護素子Ｚ１には電流が流れる。その結果、図２（ｂ）に示すように出力信号電圧Ｖｆｃ１は電圧Ｖ３（Ｈｉｇｈレベル）となる。
【００２１】
時刻ｔ２以降の期間は、時刻０から時刻ｔ１までの期間と同様、図２（ｂ）に示すように出力信号電圧Ｖｆｃ１は０Ｖ（Ｌｏｗレベル）となる。
【００２２】
異常電圧検出部２０は、出力信号電圧Ｖｆｃ１がＨｉｇｈレベルとなるパルス、即ち、異常電圧発生信号Ｐ１を検出する。
【００２３】
次に、図１および図３を参照して、本発明の実施形態１に係る保護回路１０の動作を説明する。図３（ａ）は、時刻と印加電圧Ｖｚ１との関係を示す図である。図３（ｂ）は、時刻と出力信号電圧Ｖｆｃ１との関係を示す図である。
【００２４】
異常電圧発生が単発的に発生する場合には、保護回路１０は以下に説明するように動作する。例えば、雷によるサージに起因して印加電圧がバリスタ電圧Ｖｚを超える場合、印加電圧が、図３（ａ）に示すように、単発的に印加電圧がバリスタ電圧Ｖｚを超える傾向を示す。
【００２５】
時刻ｔ１から時刻ｔ２までの期間、時刻ｔ３から時刻ｔ４までの期間および時刻ｔ５から時刻ｔ６までの期間においては、図３（ａ）に示すように、印加電圧Ｖｚ１は、電圧Ｖ２を示している。したがって、印加電圧Ｖｚ１はバリスタ電圧Ｖｚよりも高いため、保護素子Ｚ１には電流が流れる。その結果、図３（ｂ）に示すように出力信号電圧Ｖｆｃ１は電圧Ｖ３（Ｈｉｇｈレベル）となる。
【００２６】
一方、時刻０から時刻ｔ１までの期間、時刻ｔ２から時刻ｔ３までの期間、時刻ｔ４から時刻ｔ５までの期間および時刻ｔ６以降の期間においては、図３（ａ）に示すように、印加電圧Ｖｚ１は、電圧Ｖ１を示している。したがって、印加電圧Ｖｚ１はバリスタ電圧Ｖｚよりも低いため、保護素子Ｚ１には電流が流れない。その結果、図３（ｂ）に示すように出力信号電圧Ｖｆｃ１は０Ｖ（Ｌｏｗレベル）となる。
【００２７】
異常電圧検出部２０は、出力信号電圧Ｖｆｃ１がＨｉｇｈレベルとなるパルス、即ち、異常電圧発生信号（Ｐ１、Ｐ２およびＰ３）を検出する。
【００２８】
以上、図１〜図３を参照して説明したように、保護回路１０は、保護素子Ｚ１と信号生成素子ＦＣ１と異常電圧検出部２０とを備える。信号生成素子ＦＣ１は保護素子Ｚ１を流れる電流値の変化に応じて異常電圧発生信号を生成する。異常電圧検出部２０は異常電圧発生信号を検出する。したがって、過大な電圧が保護素子Ｚ１に印加されたことを知ることができる。その結果、過大な電圧が保護素子Ｚ１に印加された原因を解析するための情報を得ることができる。
【００２９】
［実施形態２］
図２および図４を参照して本発明の実施形態２に係る保護回路１０を説明する。図４は、本発明の実施形態２に係る保護回路１０を示す模式図である。
【００３０】
保護回路１０は、保護素子Ｚ１と、信号生成素子ＦＣ１と、異常電圧検出部２０と、第１端子Ｔ１と、第２端子Ｔ２と、温度検出部ＴＨ１と遮断器（Ｆ１およびＦ２）と、スイッチング素子ＴＲ１と、コンデンサＣ１と、抵抗素子Ｒ１とを備える。異常電圧検出部２０は、記憶部２１を有する。本実施形態に係る保護回路１０において、保護回路１０が第１端子Ｔ１と、第２端子Ｔ２と、温度検出部ＴＨ１と遮断器（Ｆ１およびＦ２）と、スイッチング素子ＴＲ１と、コンデンサＣ１と、抵抗素子Ｒ１とをさらに有する点、および、異常電圧検出部２０が、記憶部２１を有する点を除いて、図１を参照して説明した保護回路１０と同様な構成を有するため、重複部分については説明を省略する。
【００３１】
第１端子Ｔ１および第２端子Ｔ２は、外部の交流電源ＡＣから供給される電圧を受電するための入力端子である。第１端子Ｔ１および第２端子Ｔ２は交流電源ＡＣに接続される。なお、第１端子Ｔ１および第２端子Ｔ２は、コネクター、ＩＣの信号ピンまたは配線パターンであってもよい。
【００３２】
遮断器Ｆ１は、第１端子Ｔ１から信号生成素子ＦＣ１および第１端子Ｔ１からスイッチング素子ＴＲ１へ向かう第１電流経路ＣＰ１に設けられる。予め定められた電流量以上の電流が第１電流経路ＣＰ１に流れた場合に、遮断器Ｆ１は、第１電流経路ＣＰ１を遮断する。同様に遮断器Ｆ２は、第２端子Ｔ２から保護素子Ｚ１および第２端子Ｔ２からスイッチング素子ＴＲ１へ向かう第２電流経路ＣＰ２に設けられる。予め定められた電流量以上の電流が第２電流経路ＣＰ２に流れた場合に、遮断器Ｆ２は、第２電流経路ＣＰ２を遮断する。
【００３３】
具体的には、遮断器Ｆ１および遮断器Ｆ２は、例えば、リセット機能付きブレーカーによって構成されている。リセット機能付きブレーカーは、例えば、予め定められた電流量以上の電流が、リセット機能付きブレーカーを設けた電流経路上に流れた場合に、内部に設けられた熱応動板が加熱されることによって湾曲する。そして、熱応動板に設けられた可動接点が電流経路上に設けられた固定接点から離れることによって、電流経路を遮断する。
【００３４】
さらに、リセット機能付きブレーカーには、押下可能なボタン機構が設けられている。ボタン機構は、ボタンが押下される際の力を用いて、熱応動板に設けられた可動接点を電流経路上の固定接点に当接する状態に戻し、これによって、電流経路を導通するように構成されている。
【００３５】
なお、遮断器Ｆ１および遮断器Ｆ２は、電流経路に生じる熱を利用して電流経路を遮断するリセット機能付きブレーカーに限らず、例えば、電流経路に生じる磁力を利用して電流経路を遮断するリセット機能付きブレーカーによって構成されてもよい。磁力を利用するリセット機能付きブレーカーによれば、電流経路上に過大な電流が流れた場合に、電流経路に生じる磁力を利用して可動接点と固定接点とを離れさせることによって電流経路を遮断する。ただし磁力を利用するリセット機能付きブレーカーにも、可動接点と固定接点とを当接する状態に戻すための機構が設けられている必要がある。
【００３６】
スイッチング素子ＴＲ１は、第１端子Ｔ１と第２端子Ｔ２との間に、保護素子Ｚ１および信号生成素子ＦＣ１と並列に接続される。スイッチング素子ＴＲ１は、第１端子Ｔ１と第２端子Ｔ２との導通を切り換える。
【００３７】
具体的には、スイッチング素子ＴＲ１は、例えば、トライアックによって構成されている。トライアックは、ゲート端子Ｇに電流が入力されていないときは、第１端子Ｔ１と第２端子Ｔ２との間を開放し（開き）、ゲート端子Ｇに電流が入力されたときに、第１端子Ｔ１と第２端子Ｔ２との間を短絡させる（閉じる）。なお、コンデンサＣ１および抵抗素子Ｒ１は、トライアックのゲート端子Ｇを保護する素子である。
【００３８】
温度検出部ＴＨ１は、保護素子Ｚ１に近接して設けられる。温度検出部ＴＨ１は、保護素子Ｚ１の温度を検出する。具体的には、温度検出部ＴＨ１は、例えば、サーミスターによって構成されている。サーミスターは、温度が上昇すると抵抗値が低下する。サーミスターは、抵抗値の大きさに基づいて温度を検出する。近接する保護素子Ｚ１の温度が上昇すると、サーミスターは、抵抗値を低下させ、抵抗値の大きさによって保護素子Ｚ１の温度を検出するように構成されている。
【００３９】
サーミスターの温度が予め定められた温度（以下、許容温度と記載する）以上である場合、スイッチング素子ＴＲ１のゲート端子Ｇに向けて電流が流れるように、サーミスターの抵抗値は構成されている。一方、サーミスターの温度が許容温度未満の場合、スイッチング素子ＴＲ１のゲート端子Ｇに向けて電流が流れないように、サーミスターの抵抗値は構成されている。許容温度は、試験運転のような実験値に基づいて設定される。許容温度は、許容温度を超えると保護素子Ｚ１が破損（例えば、発煙または発火）するおそれがある温度に設定される。
【００４０】
具体的には、サーミスターの温度が許容温度以上である場合、保護素子Ｚ１が破損するおそれがあるため、スイッチング素子ＴＲ１のゲート端子Ｇに向けて電流が流れて、スイッチング素子ＴＲ１は閉じられる。その結果、遮断器Ｆ１または遮断器Ｆ２に電流が流れ、遮断器Ｆ１または遮断器Ｆ２は、第１電流経路ＣＰ１または第２電流経路ＣＰ２の電流経路を遮断する。一方、サーミスターの温度が許容温度未満の場合、保護素子Ｚ１が破損するおそれがないため、スイッチング素子ＴＲ１のゲート端子Ｇに向けて電流が流れず、スイッチング素子ＴＲ１は開放される。
【００４１】
記憶部２１は、異常電圧発生信号の検出タイミングを記憶する。記憶部２１は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。例えば、図２（ｂ）に示すように出力信号電圧Ｖｆｃ１が変化する場合、記憶部２１は、異常電圧発生信号を時刻ｔ１で検出が開始し時刻ｔ２で検出が完了したことを記憶する。あるいは、記憶部２１は、異常電圧発生信号を時刻ｔ１から時刻ｔ２の期間で検出したことを記憶する。
【００４２】
以上、図２および図４を参照して説明したように、記憶部２１は、異常電圧発生信号の検出タイミングを記憶する。したがって、サービスマンが、記憶部２１に記憶された検出タイミングを読み出すことによって、異常電圧発生信号が発生したタイミングを後から知ることができる。その結果、過大な電圧が保護素子Ｚ１に印加された原因を解析するための情報を得ることができる。
【００４３】
また、温度検出部ＴＨ１によって検出された温度が所定の基準値を超えたとき、保護回路１０は、第１端子Ｔ１と第２端子Ｔ２とを導通させ、遮断器は、保護回路１０に過大な印加電圧が印加されることを遮断する。したがって、保護素子Ｚ１およびスイッチング素子ＴＲ１のような保護回路１０に備えられた回路素子が破損することを抑制することができる。その結果、サービスマンによる回路素子の交換作業を低減することができる。
【００４４】
また、遮断器はリセット機能付きブレーカーである。したがって、遮断器Ｆ１または遮断器Ｆ２に備えられたボタン機構を押下する（解除指示を受け付ける）ことによって第１電流経路ＣＰ１または第２電流経路ＣＰ２を導通させ、保護素子Ｚ１およびスイッチング素子ＴＲ１のような保護回路１０に備えられた回路素子を交換する手間をかけることなく、対象回路への給電を効率良く再開することができる。
【００４５】
［実施形態３］
図５を参照して本発明の実施形態３に係る保護回路１０を説明する。図５は、本発明の実施形態３に係る保護回路１０を示す模式図である。
【００４６】
保護回路１０は、通信部３０をさらに備える。本実施形態に係る保護回路１０において、保護回路１０が通信部３０をさらに備える点を除いて、図１および図４を参照して説明した保護回路１０と同様な構成を有するため、重複部分については説明を省略する。
【００４７】
通信部３０は、ネットワーク（図示せず）を介して通信可能である。通信部３０は、例えば、外部サーバーと通信可能である。通信部３０は、記憶部２１に記憶された異常電圧発生信号の検出タイミングを外部サーバーに対して送信する。
【００４８】
以上、図５を参照して説明したように、通信部３０は、ネットワークを介して通信可能である。したがって、保護回路１０を備える装置から離れた場所にいるサービスマンが外部サーバーの情報を得ることによって、異常電圧発生信号が発生したタイミングを後から知ることができる。その結果、サービスマンが装置から離れた場所にいる場合でも過大な電圧が保護素子Ｚ１に印加された原因を解析するための情報を得ることができる。
【００４９】
［実施形態４］
図６および図７を参照して、実施形態４に係る画像形成装置１００について説明する。図６は、画像形成装置１００を示すブロック図である。図７は、画像形成装置１００の断面を示す図である。
【００５０】
画像形成装置１００は、電源回路５０、制御部１１０、記憶部１２０、画像形成部２００、表示部２１０、入力部２２０、画像読取部２４０、給紙部２５０、搬送部２６０、原稿搬送部２７０、および定着部２８０を備える。電源回路５０は保護回路１０を有する。電源回路５０は、外部の交流電源から供給される交流電圧を、各部（制御部１１０、記憶部１２０、画像形成部２００、表示部２１０、入力部２２０、画像読取部２４０、給紙部２５０、搬送部２６０、原稿搬送部２７０、および定着部２８０）に供給する。保護回路１０は、各部に過大な電圧が印加されないように各部を保護する。
【００５１】
記憶部１２０は、主記憶装置（例えば、半導体メモリー）および補助記憶装置（例えば、半導体メモリー、またはハードディスクドライブ）を含む。
【００５２】
制御部１１０は、画像形成装置１００の構成の全体を制御する。具体的には、制御部１１０が、記憶部１２０に格納されたコンピュータープログラムを実行することにより、原稿搬送部２７０、画像読取部２４０、入力部２２０、表示部２１０、給紙部２５０、搬送部２６０、画像形成部２００、および定着部２８０を制御する。制御部１１０は、例えば、ＣＰＵ（Ｃｅｎｔｒａｌ  Ｐｒｏｃｅｓｓｉｎｇ  Ｕｎｉｔ）である。
【００５３】
原稿搬送部２７０は、画像読取部２４０に向けて原稿を搬送する。画像読取部２４０は、原稿の画像を読み取って画像データを生成する。給紙部２５０は、給紙カセット７０および手差しトレイ６４を含む。給紙カセット７０はシートＴを積載する。シートＴは、給紙カセット７０または手差しトレイ６４から搬送部２６０に送り出される。シートＴは、例えば、普通紙、再生紙、薄紙、厚紙、またはＯＨＰ（Ｏｖｅｒｈｅａｄ  Ｐｒｏｊｅｃｔｏｒ）シートである。
【００５４】
搬送部２６０は、画像形成部２００にシートＴを搬送する。画像形成部２００は、入力部２２０を介して入力された情報にしたがって、シートＴに画像を形成する。
【００５５】
画像形成部２００は、感光体ドラム８１、帯電部８２、露光部８３、現像部８４、転写部８５、クリーニング部８６、および除電部８７を含む。
【００５６】
具体的には、画像形成部２００は、次のようにしてシートＴに画像を形成（印刷）する。帯電部８２は感光体ドラム８１の表面を帯電する。露光部８３は、画像読取部２４０によって生成された画像データまたは記憶部１２０に格納された画像データに基づく光を感光体ドラム８１の表面に照射する。その結果、感光体ドラム８１の表面には画像データに対応した静電潜像が形成される。
【００５７】
現像部８４は、感光体ドラム８１の表面に形成された静電潜像を現像し、感光体ドラム８１の表面にトナー像を形成する。シートＴが感光体ドラム８１と転写部８５との間に供給されることにともなって、転写部８５はシートＴにトナー像を転写する。
【００５８】
トナー像が転写されたシートＴは定着部２８０に向けて搬送される。定着部２８０は、シートＴを加熱および加圧して、シートＴにトナー像を定着させる。そして、排出ローラー対７２はシートＴを排出トレイ７４に排出する。クリーニング部８６は、感光体ドラム８１の表面に残留しているトナーを除去する。除電部８７は、感光体ドラム８１の表面の残留電荷を除去する。
【００５９】
以上、図６および図７を参照して説明したように、本実施形態４によれば、画像形成装置１００は、シートＴに画像を形成できる。
【産業上の利用可能性】
【００６０】
本発明の保護回路は、交流電源に接続される装置に好適に用いられる。
【符号の説明】
【００６１】
Ｚ１        保護素子
ＦＣ１      信号生成素子
ＡＣ        交流電源
Ｔ１        第１端子
Ｔ２        第２端子
ＴＨ１      温度検出部
Ｆ１、Ｆ２  遮断器
ＴＲ１      スイッチング素子
Ｃ１        コンデンサ
Ｒ１        抵抗素子
Ｔ          シート
１０        保護回路
２０        異常電圧検出部
２１        記憶部
３０        通信部
５０        電源回路
６４        手差しトレイ
７０        給紙カセット
７２        排出ローラー対
７４        排出トレイ
８１        感光体ドラム
８２        帯電部
８３        露光部
８４        現像部
８５        転写部
８６        クリーニング部
８７        除電部
１００      画像形成装置
１１０      制御部
１２０      記憶部
２００      画像形成部
２１０      表示部
２２０      入力部
２４０      画像読取部
２５０      給紙部
２６０      搬送部
２７０      原稿搬送部
２８０      定着部
【図１】
2015142411.tif 000003
【図２】
2015142411.tif 000004
【図３】
2015142411.tif 000005
【図４】
2015142411.tif 000006
【図５】
2015142411.tif 000007
【図６】
2015142411.tif 000008
【図７】
2015142411.tif 000009